(57)【要約】【課題】ハウジングに収容されたブレードの姿勢を安定させて、コネクタの組立作業を容易とするライトアングル電気コネクタを提供する。【解決手段】ブレード２０Ａ〜２０Ｄは、絶縁板５０Ａ−１〜５０Ｄ−２で導電条部材３０Ａ〜３０Ｄの腕部３１Ａ〜３１Ｄを保持して形成されており、ハウジング１０は、上記ブレード２０Ａ〜２０Ｄが後方から挿入されることを許容する収容部１７Ａ〜１７Ｄが形成されており、該収容部１７Ａ〜１７Ｄは、前後方向に延びる案内溝１７Ａ−３〜１７Ｄ−３によって上記ブレード２０Ａ〜２０Ｄの後方からの挿入を案内する案内部１７Ａ−１〜１７Ｄ−１が形成されており、上記ブレード２０Ａ〜２０Ｄは、上記案内溝１７Ａ−３〜１７Ｄ−３内にて上下方向での移動が規制されている。【選択図】図２
2019220390.tif 000002
【特許請求の範囲】
【請求項１】
絶縁板で複数の導電条部材を配列保持したブレードを収容するハウジングの前部に、相手コネクタの挿抜のための嵌合部が形成され、該ハウジングの前面に対して角度をなすハウジングの底面に、回路基板への取付面を有し、
上記絶縁板に保持される導電条部材は、コネクタの挿抜方向である前後方向に直状をなして延びる腕部と、屈曲部を介して該腕部の後端と連結され底部へ向け下方に延びる脚部とを有していて、
上記腕部はその前端部に相手コネクタの対応端子と接触するための接触部が形成され、脚部は下端に回路基板の対応回路部に半田接続される接続部が形成されているライトアングル電気コネクタにおいて、
上記ブレードは、上記絶縁板で上記導電条部材の上記腕部を保持して形成されており、
上記ハウジングは、上記ブレードが後方から挿入されることを許容する収容部が形成されており、該収容部は、前後方向に延びる案内溝によって上記ブレードの後方からの挿入を案内する案内部が形成されており、
上記ブレードは、上記案内溝内にて上下方向での移動が規制されていることを特徴とするライトアングル電気コネクタ。
【請求項２】
上記案内部は、上記導電条部材の配列方向における上記収容部の両端部に形成されており、該案内部の案内溝内にて上記配列方向での上記ブレードの移動が規制されていることとする請求項１に記載のライトアングル電気コネクタ。
【請求項３】
上記ブレードは、上記絶縁板の板面から突出する突部が形成されており、該突部にて、上記収容部に対する後方からの上記ブレードの挿入量が規制を受けるようになっていることとする請求項１又は請求項２に記載のライトアングル電気コネクタ。
【請求項４】
上記収容部は、後方からのブレードの挿入量を規制するためのストッパ部が、上記配列方向での上記案内部と異なる位置に形成されており、
上記突部は、上記配列方向での上記ストッパ部に対応する位置で、該ストッパ部の後面に当接可能となっていることとする請求項１ないし請求項３のうちいずれかに記載のライトアングル電気コネクタ。
【請求項５】
上記ストッパ部は、上記収容部の内壁面から突出して形成されていることとする請求項４に記載のライトアングル電気コネクタ。
【請求項６】
上記ブレードの突部は、上記配列方向で上記案内部に対応する位置で、該案内部の後面に当接可能となっていることとする請求項３ないし請求項５のうちいずれかに記載のライトアングル電気コネクタ。
【請求項７】
上記ブレードが複数種設けられており、複数種の該ブレードは、導電条部材の腕部が上下方向そして導電条部材の脚部が前後方向で互いに間隔をもって順次位置するように、各種ブレードの導電条部材の腕部同士そして脚部同士が異なる長さに設定されており、
上記収容部は、各種ブレードに対応して複数形成されていることとする請求項１ないし請求項６のいずれかに記載のライトアングル電気コネクタ。
【発明の詳細な説明】
【技術分野】
【０００１】
本発明は、ライトアングル電気コネクタに関する。
【背景技術】
【０００２】
ライトアングル電気コネクタとして、例えば、特許文献１のコネクタが知られている。特許文献１のコネクタは、回路基板の実装面上に配されるとともに、該実装面に対して平行な一方向（前後方向）を挿抜方向として、相手コネクタが前方から挿抜されるようになっている。すなわち、特許文献１のコネクタは、回路基板の実装面に直角な方向と上記挿抜方向とが互いに直角をなしているために、ライトアングル電気コネクタと称されている。該コネクタは、複数のブレードを有することがあり、例えば、後述の四種のブレード及び該ブレードを収容する一つのハウジングを有している。
【０００３】
各ブレードは、複数の端子を有しており、後述の腕部用ブレードと脚部用ブレードとが該端子の屈曲部を介して連結されて、一つのブレードとして形成されている。端子は、全体形状が横Ｌ字状をなしており、上記前後方向に延びる腕部及び上下方向に延びる脚部のそれぞれが後述の腕部用ブレード及び脚部用ブレードの板面にそれぞれ配されていて、直角に屈曲された屈曲部によって連結されている。上記腕部の前端側には、相手コネクタとの接触のための接触部が形成され、上記脚部の下端側には、上記実装面との半田接続のための接続部が形成されている。上記腕部用ブレード及び上記脚部用ブレードは、配列された複数の端子の腕部及び脚部のそれぞれを樹脂製の別個の絶縁板で一体成形により一括保持することにより形成されている。また、上記四種のブレードは、上記腕部が上下方向そして上記脚部が前後方向で互いに間隔をもって順次位置するように、各種ブレードの腕部同士そして脚部同士が異なる長さに設定されている。
【０００４】
上記ハウジングは、各種ブレードを収容するための収容部が上下方向で四段をなして各ブレードに対応して形成されている。各収容部は、前後方向に貫通して形成されており、対応するブレードの腕部用ブレードの後方からの挿入を許容するようになっている。各収容部は、該収容部の内壁面から前方へ向けて延びる前方係止片と後方へ向けて延びる後方係止片とを有している。該前方係止片及び該後方係止片は、上記収容部の上側内壁面あるいは下側内壁面から延びて片持ち梁状をなしており、上下方向に弾性変位可能となっている。
【０００５】
各ブレードの腕部用ブレードには、該腕部用ブレードの前端側及び後端側のそれぞれの位置で絶縁板の板面から突出する前方係止突部及び後方係止突部が形成されている。上記収容部内に上記腕部用ブレードが収容された状態にて、上記前方係止片は、腕部用ブレードの前方係止突部に対して後方から係止可能に位置し、上記後方係止片は、腕部用ブレードの後方係止突部に対して前方から係止可能に位置しており、その結果、前後方向でのブレードの移動が規制されている。また、腕部用ブレードは、上下方向で所定量のガタをもって上記収容部に収容されており、該ガタの範囲内で自由度をもって上下方向に移動可能となっている。その結果、端子の配列方向に見たときに、腕部用ブレードが傾斜した姿勢となることが許容されるようになっている。
【先行技術文献】
【特許文献】
【０００６】
【特許文献１】特開２０１６−２０７６００
【発明の概要】
【発明が解決しようとする課題】
【０００７】
特許文献１のコネクタでは、上述したように、上記収容部内にて上記ガタの範囲内で自由度をもって上下方向に移動可能となっていて、腕部用ブレードは絶縁板の前後方向に対して傾斜するような姿勢の変動が許容されている。しかし、このようなガタの存在により、コネクタの組立時においてブレードの姿勢が安定せず、コネクタの組立作業、すなわちハウジングの収容部へブレードを挿入する作業が煩雑となるという問題があった。
【０００８】
本発明は、かかる事情に鑑み、ハウジングに収容されたブレードの姿勢を安定させて、コネクタの組立作業を容易とするライトアングル電気コネクタを提供することを課題とする。
【課題を解決するための手段】
【０００９】
本発明に係るライトアングル電気コネクタは、絶縁板で複数の導電条部材を配列保持したブレードを収容するハウジングの前部に、相手コネクタの挿抜のための嵌合部が形成され、該ハウジングの前面に対して角度をなすハウジングの底面に、回路基板への取付面を有し、上記絶縁板に保持される導電条部材は、コネクタの挿抜方向である前後方向に直状をなして延びる腕部と、屈曲部を介して該腕部の後端と連結され底部へ向け下方に延びる脚部とを有していて、上記腕部はその前端部に相手コネクタの対応端子と接触するための接触部が形成され、脚部は下端に回路基板の対応回路部に半田接続される接続部が形成されている。
【００１０】
かかるライトアングル電気コネクタにおいて、本発明では、上記ブレードは、上記絶縁板で上記導電条部材の上記腕部を保持して形成されており、上記ハウジングは、上記ブレードが後方から挿入されることを許容する収容部が形成されており、該収容部は、前後方向に延びる案内溝によって上記ブレードの後方からの挿入を案内する案内部が形成されており、上記ブレードは、上記案内溝内にて上下方向での移動が規制されていることを特徴としている。
【００１１】
本発明では、ハウジングの収容部に形成された案内溝によってブレードの上下方向での移動が規制されている。したがって、上記ブレードは、導電条部材の配列方向に見たときに、該ブレードの板面上で上記配列方向に延びる軸線（仮想線）まわりで傾斜した姿勢となることが最小限に抑制され、該ブレードの板面が実装面に対して平行をなした姿勢で安定しやすくなる。
【００１２】
本発明において、上記案内部は、上記導電条部材の配列方向における上記収容部の両端部に形成されており、該案内部の案内溝内にて上記配列方向での上記ブレードの移動が規制されていてもよい。このように、案内溝内にて上記配列方向でのブレードの移動が規制されることにより、該ブレードは、上下方向に見たときに、上下方向に延びる軸線（仮想線）まわりで傾斜した姿勢となることが最小限に抑制され、前後方向に延びた姿勢で安定しやすくなる。
【００１３】
本発明において、上記ブレードは、上記絶縁板の板面から突出する突部が形成されており、該突部にて、上記収容部に対する後方からの上記ブレードの挿入量が規制を受けるようになっていてもよい。このように該突部にてブレードの挿入量が規制を受けることにより、該ブレードが収容部へ過剰に挿入されることが防止され、前後方向にてブレードを容易に正規の位置に配置することができる。
【００１４】
本発明において、上記収容部は、後方からのブレードの挿入量を規制するためのストッパ部が、上記配列方向での上記案内部と異なる位置に形成されており、上記突部は、上記配列方向での上記ストッパ部に対応する位置で、該ストッパ部の後面に当接可能となっていてもよい。また、上記ストッパ部は、上記収容部の内壁面から突出して形成されていてもよい。
【００１５】
本発明において、上記ブレードの突部は、上記配列方向で上記案内部に対応する位置で、該案内部の後面に当接可能となっていてもよい。このような構成とすることにより、上記案内部にもストッパ部としての機能をもたせることが可能となる。
【００１６】
本発明において、上記ブレードが複数種設けられており、複数種の該ブレードは、導電条部材の腕部が上下方向そして導電条部材の脚部が前後方向で互いに間隔をもって順次位置するように、各種ブレードの導電条部材の腕部同士そして脚部同士が異なる長さに設定されており、上記収容部は、各種ブレードに対応して複数形成されていることとしてもよい。
【発明の効果】
【００１７】
本発明では、以上のように、ハウジングの収容部に形成された案内溝によってブレードの上下方向での移動が規制されているので、ブレードは該配列方向に延びる軸線まわりで傾斜した姿勢となることが最小限に抑制され、該ブレードの板面が実装面に対して平行をなした姿勢で安定しやすくなる。したがって、コネクタの組立作業、すなわちハウジングの収容部へブレードを挿入する作業が容易となる。
【図面の簡単な説明】
【００１８】
【図１】本発明の実施形態に係る雄コネクタ及び雌コネクタを斜め上方から見た斜視図であり、コネクタ嵌合前の状態の外観を示している。
【図２】コネクタ嵌合前の状態における雄コネクタ及び雌コネクタのコネクタ幅方向に対して直角な断面での断面図であり、コネクタ幅方向における幅広嵌合領域での断面を示している。
【図３】コネクタ嵌合前の状態におけるコネクタのコネクタ幅方向に対して直角な断面での断面図であり、コネクタ幅方向における幅狭嵌合領域での断面を示している。
【図４】（Ａ）は雄コネクタのハウジングの一部を前方かつ斜め上方から見た斜視図であり、（Ｂ）雄コネクタのハウジング全体を後方かつ斜め下方から見た斜視図である。
【図５】（Ａ）は第一幅広ブレードないし第四幅広ブレードを斜め上方から見た斜視図であり、（Ｂ）は第一幅狭ブレードないし第四幅狭ブレードを斜め上方から見た斜視図である。
【図６】（Ａ）は第一幅広ブレードないし第四幅広ブレードを斜め下方から見た斜視図であり、（Ｂ）は第一幅狭ブレードないし第四幅狭ブレードを斜め下方から見た斜視図である。
【図７】第一幅広ブレードないし第四幅広ブレードの側面図である。
【図８】第一幅狭ブレードないし第四幅狭ブレードを雄ハウジングのブレード規制部とともに斜め下方から見て示した斜視図である。
【発明を実施するための形態】
【００１９】
以下、添付図面にもとづき、本発明の実施の形態について説明する。
【００２０】
図１は、本発明の実施形態に係る雄型電気コネクタ１（以下、単に「雄コネクタ１」という）及び該コネクタ１に対する相手コネクタの雌型電気コネクタ２（以下、「雌コネクタ２」という）を斜上方から見た斜視図であり、コネクタ嵌合前の状態の外観を示している。
【００２１】
本実施形態に係る雄コネクタ１及び雌コネクタ２は、コネクタ嵌合直前において、それぞれの嵌合部が前後方向（Ｘ軸方向）で互いに対向するような姿勢となるが（図２及び図３参照）、図１では、両コネクタ１，２の嵌合部を図示するために、雌コネクタ２が、コネクタ嵌合直前の姿勢から、上下方向（Ｚ軸方向）に延びる軸線まわりに９０°回転させた姿勢で示されている。したがって、図１において、雄コネクタ１については、Ｘ軸方向が前後方向であり、雌コネクタ２については、Ｙ軸方向が前後方向となっている。
【００２２】
雄コネクタ１及び雌コネクタ２は、それぞれ対応する回路基板（図示せず）に半田接続により実装される回路基板用電気コネクタであり、互いに嵌合接続することにより電気コネクタ組立体を構成する。また、雄コネクタ１は、雌コネクタ２と挿抜方向である前後方向（Ｘ軸方向）と、回路基板の実装面に対して直角な上下方向（Ｚ軸方向）とが直角をなす、いわゆるライトアングル電気コネクタである。また、本実施形態では、雄コネクタ１及び雌コネクタ２のそれぞれについて、前後方向及び上下方向の両方向に対して直角な方向を「コネクタ幅方向」という。したがって、図１においては、雄コネクタ１のコネクタ幅方向はＹ軸方向、雌コネクタ２のコネクタ幅方向はＸ軸方向となっている。
【００２３】
図２は、コネクタ嵌合前の状態における雄コネクタ１及び雌コネクタ２のコネクタ幅方向（Ｙ軸方向）に対して直角な断面での断面図であり、コネクタ幅方向における後述の幅広嵌合領域の位置での断面を示している。図３は、コネクタ嵌合前の状態におけるコネクタのコネクタ幅方向（Ｙ軸方向）に対して直角な断面での断面図であり、コネクタ幅方向における後述の幅狭嵌合領域の位置での断面を示している。図２及び図３では、後述する端子の断面及びシールド板の断面のハッチングが省略されている。
【００２４】
雄コネクタ１は、前方（Ｘ２側）から雌コネクタ２が嵌合接続されるようになっており、電気絶縁材料で略直方体外形に作られたハウジング１０と、該ハウジング１０に収容されている四種の幅広ブレード２０Ａ，２０Ｂ，２０Ｃ，２０Ｄ及び四種の幅狭ブレード６０Ａ，６０Ｂ，６０Ｃ，６０Ｄと、ハウジング１０を回路基板へ固定取付けするための取付部材１００とを有している。
【００２５】
本実施形態では、形状の異なる四種の幅広ブレード２０Ａ，２０Ｂ，２０Ｃ，２０Ｄ（後述する第一幅広ブレード２０Ａ、第二幅広ブレード２０Ｂ、第三幅広ブレード２０Ｃ、第四幅広ブレード２０Ｄ）は、図２に見られるように、略横Ｌ字形状の断面を有しており、幅広ブレード２０Ａ，２０Ｂ，２０Ｃ，２０Ｄの順で上下方向そして前後方向で大きくなっている。一組の幅広ブレード２０Ａ，２０Ｂ，２０Ｃ，２０Ｄは、ハウジング１０におけるコネクタ幅方向（Ｙ軸方向）でのＹ２側の領域にて、該幅広ブレード２０Ａ，２０Ｂ，２０Ｃ，２０Ｄの順で上方（Ｚ１側）そして後方（Ｘ１側）に位置するように該ハウジング１０によって配列保持されている。各幅広ブレード２０Ａ，２０Ｂ，２０Ｃ，２０Ｄは、後述するように、コネクタ幅方向（ブレード幅方向）を端子配列方向として配列された雄端子３０Ａ，３０Ｂ、３０Ｃ，３０Ｄを有している。
【００２６】
また、本実施形態では、形状の異なる四種の幅狭ブレード６０Ａ，６０Ｂ，６０Ｃ，６０Ｄ（後述する第一幅狭ブレード６０Ａ、第二幅狭ブレード６０Ｂ、第三幅狭ブレード６０Ｃ、第四幅狭ブレード６０Ｄ、）は、図３に見られるように、略横Ｌ字形状の断面を有しており、幅狭ブレード６０Ａ，６０Ｂ，６０Ｃ，６０Ｄの順で上下方向そして前後方向で大きくなっている。また、幅狭ブレード６０Ａ，６０Ｂ，６０Ｃ，６０Ｄは、上述の幅広ブレード２０Ａ，２０Ｂ，２０Ｃ，２０Ｄと比べて、前後方向及び上下方向での寸法は同じであるが、コネクタ幅方向での寸法は小さく、すなわち幅狭となっている（図５及び図６参照）。
【００２７】
一組の幅狭ブレード６０Ａ，６０Ｂ，６０Ｃ，６０Ｄは、ハウジング１０におけるコネクタ幅方向でのＹ１側の領域にて、該幅狭ブレード６０Ａ，６０Ｂ，６０Ｃ，６０Ｄの順で上方（Ｚ１側）そして後方（Ｘ１側）に位置するように該ハウジング１０によって配列保持されている。各幅狭ブレード６０Ａ，６０Ｂ，６０Ｃ，６０Ｄは、後述するように、コネクタ幅方向（ブレード幅方向）を端子配列方向として配列された雄端子７０Ａ，７０Ｂ、７０Ｃ，７０Ｄを有している。
【００２８】
［ハウジングの構成］
ハウジング１０は、図１に見られるように、上壁１１と底壁１２そして両者を側端で連結する側壁１３とを有し、底壁１２の下面、すなわちハウジング１０の底面に回路基板への取付面を有している。上壁１１と底壁１２は、側壁１３よりも前方（図１にてＸ１側）に突出している。また、上壁１１、底壁１２及び側壁１３で囲まれる空間内には、後述する上段隔壁１８Ａ，中段隔壁１８Ｂ，下段隔壁１８Ｃ（必要に応じて「隔壁１８Ａ，１８Ｂ，１８Ｃ」と総称する）が上方から順に形成されている。上段隔壁１８Ａ及び下段隔壁１８Ｃの前端は、側壁１３の前端と前後方向で同位置に位置しており、中段隔壁１８Ｂの前端は、側壁１３の前端よりも前方に位置している（図４（Ａ）をも参照）。ハウジング１０は、側壁１３及び隔壁１８Ａ，１８Ｃよりも前方に位置する部分が、雌コネクタ２との嵌合接続のための嵌合部１０Ｆをなしている。該嵌合部１０Ｆは、コネクタ幅方向（Ｙ軸方向）にて後述の中間壁１０ＥよりもＹ２側で幅広ブレード２０Ａ〜２０Ｄと対応する領域（雄側幅広嵌合域）と、コネクタ幅方向にて中間壁１０ＥよりもＹ１側で幅狭ブレード６０Ａ〜６０Ｄと対応する領域（雄側幅狭嵌合域）とに二分されている。
【００２９】
上記雄側幅広嵌合域において、上壁１１と中段隔壁１８Ｂとの間の空間内では、上部に第一幅広ブレード２０Ａの前端側部分が位置し、下部に第二幅広ブレード２０Ｂの前端側部分が位置している。また、上記雄側幅狭嵌合域において、上壁１１と中段隔壁１８Ｂとの間の空間内では、上部に第一幅狭ブレード６０Ａの前端側部分が位置し、下部に第二幅狭ブレード６０Ｂの前端側部分が位置している。第一幅広ブレード２０Ａの前端側部分の上面には、雄端子３０Ａの雄接触部３１Ａ−１が露呈しており、第二幅広ブレード２０Ｂの前端側部分の上面には、雄端子３０Ｂの雄接触部３１Ｂ−１が露呈している（図２参照）。また、第一幅狭ブレード６０Ａの前端側部分の上面には、雄端子７０Ａの雄接触部７１Ａ−１が露呈しており、第二幅狭ブレード６０Ｂの前端側部分の上面には、雄端子７０Ｂの雄接触部７１Ｂ−１が露呈している（図３参照）。
【００３０】
上壁１１と第一ブレード２０Ａ，６０Ａの前端側部分との間には、雌コネクタ２の後述する第一端子保持壁１１１Ａを受け入れるための第一接続空間１０Ａが上記第一ブレード２０Ａ，６０Ａに沿って形成されている。第二ブレード２０Ｂ，６０Ｂの前端側部分の直上には、雌コネクタ２の後述する第二端子保持壁１１１Ｂを受け入れるための第二接続空間１０Ｂが上記第二ブレード２０Ｂ，６０Ｂに沿って形成されている。
【００３１】
また、第一ブレード２０Ａ，６０Ａと第二接続空間１０Ｂとの間には、雌コネクタ２の後述の雌側上段嵌合域と対応する雄側上段嵌合域が形成されている。該雄側上段嵌合域は、雄側幅広嵌合域に対応する範囲に形成された雄側上段幅広嵌合域と、雄側幅狭嵌合域に対応する範囲に形成された雄側上段幅狭嵌合域とに二分されている。該雄側上段嵌合域には、コネクタ幅方向での両端寄り位置で上段隔壁１８Ａから前方に延びる上段幅広ガイド部１４Ａ及び上段幅狭ガイド部１４Ｂと、コネクタ幅方向での中間位置で上段隔壁１８Ａから前方に延びる上段規制部１５Ａとが形成されている。
【００３２】
上段幅広ガイド部１４Ａは、雄側上段嵌合域におけるコネクタ幅方向でのＹ２側の端部に位置している。一方、上段幅狭ガイド部１４Ｂは、該上段幅広ガイド部１４Ａよりもコネクタ幅方向での寸法が小さくなっており、雄側上段嵌合域におけるコネクタ幅方向でのＹ１側の端部に位置している。上段規制部１５Ａは、雄側上段幅広嵌合域におけるＹ１側の端部、すなわち雄側上段幅狭嵌合域に寄った側の端部に形成されている。
【００３３】
雄側上段幅広嵌合域には、上段幅広ガイド部１４Ａと上段規制部１５Ａとの間に雌コネクタ２の後述の上段ブロック部１１５Ａを受け入れるための上段ブロック部受入空間１６Ａが形成されている。また、雄側上段幅狭嵌合域には、上段幅狭ガイド部１４Ｂと上段規制部１５Ａとの間に雌コネクタ２の後述の中間壁１１３を受け入れるための上段中間壁受入空間１６Ｂが形成されている。
【００３４】
上記雄側幅広嵌合域において、中段隔壁１８Ｂと底壁１２との間の空間内では、上部に第三幅広ブレード２０Ｃの前端側部分が位置し、下部に第四幅広ブレード２０Ｄの前端側部分が位置している。また、上記雄側幅狭嵌合域において、中段隔壁１８Ｂと底壁１２との間の空間内では、上部に第三幅狭ブレード６０Ｃの前端側部分が位置し、下部に第四幅狭ブレード６０Ｄの前端側部分が位置している。第三幅広ブレード２０Ｃの前端側部分の下面には、雄端子３０Ｃの雄接触部３１Ｃ−１が露呈しており、第四幅広ブレード２０Ｄの前端側部分の下面には、雄端子３０Ｄの雄接触部３１Ｄ−１が露呈している（図２参照）。第三幅狭ブレード６０Ｃの前端側部分の下面には、雄端子７０Ｃの雄接触部７１Ｃ−１が露呈しており、第四幅狭ブレード６０Ｄの前端側部分の下面には、雄端子７０Ｄの雄接触部７１Ｄ−１が露呈している（図３参照）。
【００３５】
第三ブレード２０Ｃ，６０Ｃの前端側部分の直下には、雌コネクタ２の後述する第三端子保持壁１１１Ｃを受け入れるための第三接続空間１０Ｃが上記第三ブレード２０Ｃ，６０Ｃに沿って形成されている。底壁１２と第四ブレード２０Ｄ，６０Ｄの前端側部分との間には、雌コネクタ２の後述する第四端子保持壁１１１Ｄを受け入れるための第四接続空間１０Ｄが上記第四ブレード２０Ｄ，６０Ｄに沿って形成されている。
【００３６】
また、第三接続空間１０Ｃと第四ブレード２０Ｄ，６０Ｄとの間には、雌コネクタ２の後述の雌側下段嵌合域と対応する雄側下段嵌合域が形成されている。該雄側下段嵌合域は、雄側幅広嵌合域に対応する範囲に形成された雄側下段幅広嵌合域と、雄側幅狭嵌合域に対応する範囲に形成された雄側下段幅狭嵌合域とに二分されている。該雄側下段嵌合域には、コネクタ幅方向での両端寄り位置で下段隔壁１８Ｃから前方に延びる下段幅広ガイド部１４Ｃ及び下段幅狭ガイド部１４Ｄと、コネクタ幅方向での中間位置で下段隔壁１８Ｃから前方に延びる下段規制部１５Ｂとが形成されている。
【００３７】
下段幅広ガイド部１４Ｃは、雄側下段嵌合域におけるコネクタ幅方向でのＹ２側の端部に位置している。一方、下段幅狭ガイド部１４Ｄは、該下段幅広ガイド部１４Ｃよりもコネクタ幅方向での寸法が小さくなっており、雄側下段嵌合域におけるコネクタ幅方向でのＹ１側の端部に位置している。下段規制部１５Ｂは、雄側下段幅広嵌合域におけるＹ１側の端部、すなわち雄側下段幅狭嵌合域に寄った側の端部に形成されている。図１に見られるように、下段幅広ガイド部１４Ｃ、下段幅狭ガイド部１４Ｄ及び下段規制部１５Ｂは、コネクタ幅方向（Ｙ軸方向）にてそれぞれ雄側上段嵌合域の上段幅広ガイド部１４Ａ、上段幅狭ガイド部１４Ｂ及び上段規制部１５Ａと同位置に形成されている。
【００３８】
雄側下段幅広嵌合域には、下段幅広ガイド部１４Ｃと下段規制部１５Ｂとの間に雌コネクタ２の後述の下段ブロック部１１５Ｂを受け入れるための下段ブロック部受入空間１６Ｃが形成されている。また、雄側下段幅狭嵌合域には、下段幅狭ガイド部１４Ｄと下段規制部１５Ｂとの間に雌コネクタ２の後述の中間壁１１３を受け入れるための下段中間壁受入空間１６Ｄが形成されている。
【００３９】
各ガイド部１４Ａ，１４Ｂ，１４Ｃ，１４Ｄは、先端部が先細り形状をなしており、雌コネクタ２の後述のブロック部１１５Ａ，１１５Ｂ及び中間壁１１３をブロック部受入空間１６Ａ，１６Ｃ内及び中間壁受入空間１６Ｂ，１６Ｄ内へ案内するようになっている。また、該ガイド部１４Ａ，１４Ｂ，１４Ｃ，１４Ｄの内側面（コネクタ幅方向で規制部１５Ａ，１５Ｂと対向する面）は、コネクタ嵌合状態にて上記ブロック部１１５Ａ，１１５Ｂ及び上記中間壁１１３のコネクタ幅方向での移動を規制する規制面として機能する。
【００４０】
各規制部１５Ａ，１５Ｂは、図１に見られるように、中空の角柱状をなして前後方向に延びており、コネクタ幅方向での両側面（コネクタ幅方向に対して直角な両側の面）は、コネクタ嵌合状態にて雌コネクタ２の上記ブロック部１１５Ａ，１１５Ｂ及び上記中間壁１１３のコネクタ幅方向での移動を規制する規制面として機能する。
【００４１】
図１に見られるように、ハウジング１０の側壁１３の下部には、コネクタ幅方向外方に突出した取付部１３Ａが前後方向（Ｘ軸方向）に延びて設けられていて、該取付部１３Ａには、金属板部材で作られた取付部材１００が、底壁１２よりも下方（Ｚ２側）に突出して設けられている。
【００４２】
図２及び図３に見られるように、ハウジング１０は、既述した嵌合部１０Ｆよりも後部に、幅広ブレード２０Ａ〜２０Ｄ及び幅狭ブレード６０Ａ〜６０Ｄを収容して保持するためのブレード収容部１０Ｇが形成されている。該ブレード収容部１０Ｇは、幅広ブレード２０Ａ〜２０Ｄ及び幅狭ブレード６０Ａ〜６０Ｄを収容する収容空間１７が前後方向に貫通して形成されている。また、収容空間１７は、図２及び図３に見られるように、後半部（Ｘ１側の部分）の範囲で下方に開放されている。
【００４３】
収容空間１７内には、上壁１１と底壁１２に対して平行な板面をもち両側の側壁１３同士を連結する上段隔壁１８Ａ、中段隔壁１８Ｂ、下段隔壁１８Ｃが上方から順に設けられている。また、収容空間１７内には、側壁１３に対して平行な板面をもちコネクタ幅方向でＹ１側に寄った中間位置で上壁１１、上段隔壁１８Ａ、中段隔壁１８Ｂ、下段隔壁１８Ｃ、底壁１２を連結する中間壁１０Ｅが設けられている。
【００４４】
この結果、収容空間１７内には、コネクタ幅方向にて中間壁１０ＥよりもＹ２側の領域、すなわち、雄側幅広嵌合域に対応する領域で、上壁１１と上段隔壁１８Ａとの間に第一幅広収容溝１７Ａ、上段隔壁１８Ａと中段隔壁１８Ｂとの間に第二幅広収容溝１７Ｂ、中段隔壁１８Ｂと下段隔壁１８Ｃとの間に第三幅広収容溝１７Ｃ、下段隔壁１８Ｃと底壁１２との間に第四幅広収容溝１７Ｄが形成されている。また、収容空間１７内には、コネクタ幅方向にて中間壁１０ＥよりもＹ１側の領域、すなわち、雄側幅狭嵌合域に対応する領域で、上壁１１と上段隔壁１８Ａとの間に第一幅狭収容溝１７Ｅ、上段隔壁１８Ａと中段隔壁１８Ｂとの間に第二幅狭収容溝１７Ｆ、中段隔壁１８Ｂと下段隔壁１８Ｃとの間に第三幅狭収容溝１７Ｇ、下段隔壁１８Ｃと底壁１２との間に第四幅狭収容溝１７Ｈが形成されている。
【００４５】
図２に見られるように、各幅広収容溝１７Ａ〜１７Ｄには、それぞれ幅広ブレード２０Ａ〜２０Ｄの後述の腕部用ブレード２０Ａ−１〜２０Ｄ−１が後方から挿入されて収容される。また、図３に見られるように、各幅狭収容溝１７Ｅ〜１７Ｈには、それぞれブレード６０Ａ〜６０Ｄの後述の腕部用ブレード６０Ａ−１〜６０Ｄ−１が後方から挿入されて収容される。
【００４６】
上段隔壁１８Ａは、上下方向で板面同士が対面する上段上部隔壁１８Ａ−１と上段下部隔壁１８Ａ−２とが、コネクタ幅方向に対して直角な板面をもち前後方向に延びる複数の上段連結壁部１８Ａ−３（図４（Ａ），（Ｂ）参照）によって連結されることで形成されている。該上段連結壁部１８Ａ−３は、図４（Ａ）に見られるように、コネクタ幅方向での上段幅広ガイド部１４Ａと上段規制部１５Ａとの間に形成されている。上段上部隔壁１８Ａ−１は上段ガイド部１４Ａ，１４Ｂの上部と同じ高さ位置で前後方向に延び、上段下部隔壁１８Ａ−２は上段ガイド部１４Ａ，１４Ｂの下部と同じ高さ位置で前後方向に延びている。上段上部隔壁１８Ａ−１、上段下部隔壁１８Ａ−２及び上段連結壁部１８Ａ−３はハウジング１０の後端近くまで延びている（図４（Ｂ）参照）。
【００４７】
中段隔壁１８Ｂは、単一の壁部として、上下方向での収容空間１７の中央位置で該前後方向に延びている。既述したように、中段隔壁１８Ｂは、前端が側壁１３よりも前方（Ｘ２側）、換言すると、収容空間１７よりも前方に位置しているとともに、後端が上段隔壁１８Ａの後端よりも前方に位置している。
【００４８】
下段隔壁１８Ｃは、上下方向で板面同士が対面する下段上部隔壁１８Ｃ−１と下段下部隔壁１８Ｃ−２とが、コネクタ幅方向に対して直角な板面をもち前後方向に延びる複数の下段連結壁部１８Ｃ−３（図４（Ａ），（Ｂ）参照）によって連結されることで形成されている。該下段連結壁部１８Ｃ−３は、図４（Ａ）に見られるように、コネクタ幅方向での下段幅広ガイド部１４Ｃと下段規制部１５Ｂとの間に形成されている。下段上部隔壁１８Ｃ−１は下段ガイド部１４Ｃ，１４Ｄの上部と同じ高さ位置で前後方向に延び、下段下部隔壁１８Ｃ−２は下段ガイド部１４Ｃ，１４Ｄの下部と同じ高さ位置で前後方向に延びている。下段隔壁１８Ｃの後端は、上段隔壁１８Ａの後端よりも前方に位置している。
【００４９】
図２及び図４（Ｂ）に見られるように、各幅広収容溝１７Ａ〜１７Ｄを形成する内壁面のうちコネクタ幅方向両側に位置する内壁面、換言すると、コネクタ幅方向で互いに対向する側壁１３及び中間壁１０Ｅのそれぞれの板面には、幅広ブレード２０Ａ〜２０Ｄの腕部用ブレード２０Ａ−１〜２０Ｄ−１の後方からの挿入を案内する案内部１７Ａ−１〜１７Ｄ−１が前後方向に延びて形成されている。該案内部１７Ａ−１〜１７Ｄ−１は、幅広収容溝１７Ａ〜１７Ｄの上下方向中間位置で幅広収容溝１７Ａ〜１７Ｄの該両側の内壁面から突出して前後方向に延びる案内突条部１７Ａ−２〜１７Ｄ−２と、該案内突条部１７Ａ−２〜１７Ｄ−２に沿って前後方向に延びる案内溝１７Ａ−３〜１７Ｄ−３とを有している。案内突条部１７Ａ−２〜１７Ｄ−２及び案内溝１７Ａ−３〜１７Ｄ−３は、前後方向で幅広収容溝１７Ａ〜１７Ｄの後端位置から前端近傍位置まで、すなわち前後方向で幅広収容溝１７Ａ〜１７Ｄのほぼ全域にわたって延びている。
【００５０】
本実施形態では、案内突条部１７Ａ−２は、その後端面で、幅広収容溝１７Ａ〜１７Ｄへ後方から挿入された腕部用ブレード２０Ａ−１の後述する後方突部５３Ａに前方から当接することにより該腕部用ブレード２０Ａ−１〜２０Ｄ−１の挿入量を規制することが可能となっている。つまり、案内突条部１７Ａ−２は、腕部用ブレード２０Ａ−１の後方突部５３Ａに当接可能なストッパ部としての機能をも有している。
【００５１】
図２、図４（Ａ），（Ｂ）に見られるように、案内溝１７Ａ−３，１７Ｂ−３はそれぞれ、案内突条部１７Ａ−２，１７Ｂ−２の下方に形成されている。換言すると、案内溝１７Ａ−３は案内突条部１７Ａ−２と上段隔壁１８Ａとの間に形成されており、案内溝１７Ｂ−３は案内突条部１７Ｂ−２と中段隔壁１８Ｂとの間に形成されている。また、案内溝１７Ｃ−３，１７Ｄ−３はそれぞれ、案内突条部１７Ｃ−２，１７Ｄ−２の上方に形成されている。換言すると、案内溝１７Ｃ−３は案内突条部１７Ｃ−２と中段隔壁１８Ｂとの間に形成されており、案内溝１７Ｄ−３は案内突条部１７Ｄ−２と下段隔壁１８Ｃとの間に形成されている。
【００５２】
本実施形態では、コネクタ１の組立時において、幅広ブレード２０Ａ〜２０Ｄの腕部用ブレード２０Ａ−１〜２０Ｄ−１が幅広収容溝１７Ａ〜１７Ｄへ後方から挿入される際に、該腕部用ブレード２０Ａ−１〜２０Ｄ−１のコネクタ幅方向での両端部が案内溝１７Ａ−３〜１７Ｄ−３内で、案内突条部１７Ａ−２〜１７Ｄ−２及びこれに対向する隔壁１８Ａ〜１８Ｃにより、上方あるいは下方への移動の規制を受けながら前方へ進行するようになっている。
【００５３】
図２に見られるように、幅広収容溝１７Ａ〜１７Ｄ内には、各ブレード２０Ａ〜２０Ｄの後方への移動を規制するための複数の弾性係止片１７Ａ−４〜１７Ｄ−４が設けられている。該弾性係止片１７Ａ−４〜１７Ｄ−４は、それぞれ収容溝１７Ａ〜１７Ｄ内で上下方向に弾性変形可能な片持ち梁状をなして設けられており、収容溝１７Ａ〜１７Ｄに収容された腕部用ブレード２０Ａ−１〜２０Ｄ−１の後方への移動を規制するようになっている。該弾性係止片１７Ａ−４〜１７Ｄ−４は、第一幅広収容溝１７Ａ内で上壁１１の下面から延び第一幅広ブレード２０Ａの移動を規制する二つの第一弾性係止片１７Ａ−４と、第二幅広収容溝１７Ｂ内で上段下部隔壁１８Ａ−２の下面から延び第二幅広ブレード２０Ｂの移動を規制する二つの第二弾性係止片１７Ｂ−４と、第三幅広収容溝１７Ｃ内で下段上部隔壁１８Ｃ−１の上面から延び第三幅広ブレード２０Ｃの移動を規制する二つの第三弾性係止片１７Ｃ−４と、第四幅広収容溝１７Ｄ内で底壁１２の上面から延び第四幅広ブレード２０Ｄの移動を規制する二つの第四弾性係止片１７Ｄ−４とから成る。
【００５４】
図４（Ａ）は、雄コネクタ１のハウジング１０の一部を前方かつ斜め上方から、図４（Ｂ）は雄コネクタ１のハウジング１０前置を後方かつ斜め下方から見た外観を示す斜視図である。図４（Ａ）では、ハウジング１０の上壁１１及び手前側（Ｙ軸方向でのＹ１側）の側壁１３の図示が省略されている。
【００５５】
二つの第一弾性係止片１７Ａ−４は、図２及び図４（Ａ）に見られるように、コネクタ幅方向で互いに離間して位置しているとともに、上壁１１の前端寄り位置から上段上部隔壁１８Ａ−１の前端位置近傍まで前方へ向けて延びている。二つの第二弾性係止片１７Ｂ−４は、コネクタ幅方向で互いに離間して位置しているとともに、上段下部隔壁１８Ａ−２の前後方向中間位置から中段隔壁１８Ｂの前端位置近傍まで前方へ向けて延びている。二つの第三弾性係止片１７Ｃ−４は、コネクタ幅方向で互いに離間して位置しているとともに、下段上部隔壁１８Ｃ−１の前後方向中間位置から該下段上部隔壁１８Ｃ−１の前端位置近傍まで前方へ向けて延びている。二つの第四弾性係止片１７Ｄ−４は、コネクタ幅方向で互いに離間して位置しているとともに、底壁１２の後端位置から下段下部隔壁１８Ｃ−２の前端位置近傍まで前方へ向けて延びている。
【００５６】
図２及び図４（Ａ），（Ｂ）に見られるように、幅広収容溝１７Ａ〜１７Ｄ内には、後方からの腕部用ブレード２０Ａ−１〜２０Ｄ−１の挿入量を規制するためのストッパ部１７Ａ−５〜１７Ｄ−５が設けられている。該ストッパ部１７Ａ−５〜１７Ｄ−５は、第一幅広収容溝１７Ａ内で上壁１１の下面から突出し第一幅広ブレード２０Ａの腕部用ブレード２０Ａ−１の挿入量を規制する一つの第一ストッパ部１７Ａ−５と、第二幅広収容溝１７Ｂ内で上段下部隔壁１８Ａ−２の下面から突出し第二幅広ブレード２０Ｂの腕部用ブレード２０Ｂ−１の挿入量を規制する一つの第二ストッパ部１７Ｂ−５と、第三幅広収容溝１７Ｃ内で下段上部隔壁１８Ｃ−１の上面から突出し第三幅広ブレード２０Ｃの腕部用ブレード２０Ｃ−１の挿入量を規制する一つの第三ストッパ部１７Ｃ−５と、第四幅広収容溝１７Ｄ内で底壁１２の上面から突出し第四幅広ブレード２０Ｄの腕部用ブレード２０Ｄ−１の挿入量を規制する一つの第四ストッパ部１７Ｄ−５とから成る。
【００５７】
ストッパ部１７Ａ−５〜１７Ｄ−５のうち、ストッパ部１７Ａ−５，１７Ｂ−５は、図２に見られるように、その下面が前方へ向かうにつれて上方へ傾斜しているとともに、後端面が前後方向に対して直角な平坦面をなしている。また、ストッパ部１７Ｃ−５，１７Ｄ−５は、ストッパ部１７Ａ−５，１７Ｂ−５を上下方向で反転させた形状をなしている。ストッパ部１７Ａ−５〜１７Ｄ−５は、コネクタ幅方向にて、幅広収容溝１７Ａ〜１７Ｄの中央位置、換言すると、二つの弾性係止片１７Ａ−４〜１７Ｄ−４同士間に位置している。また、該ストッパ部１７Ａ−５〜１７Ｃ−５は、前後方向にて、幅広収容溝１７Ａ〜１７Ｃの後端寄り位置で弾性係止片１７Ａ−４〜１７Ｃ−４よりも後方に設けられている。第四ストッパ部１７Ｄ−５は、図２に見られるように、前後方向にて、第四幅広収容溝１７Ｄでのほぼ全域に設けられており、第四弾性係止片１７Ｄ−４と重複範囲をもって位置している。
【００５８】
該ストッパ部１７Ａ−５〜１７Ｄ−５は後端面は、幅広ブレード２０Ａ〜２０Ｄの腕部用ブレード２０Ａ−１〜２０Ｄ−１に形成された後述の後方突部５３Ａ〜５３Ｄの前方で該後方突部５３Ａ〜５３Ｄに当接可能に位置しており、後方からの腕部用ブレード２０Ａ−１〜２０Ｄ−１の挿入量を規制するためのストッパ面１７Ａ−５Ａ〜１７Ｄ−５Ａとして形成されている。
【００５９】
幅狭収容溝１７Ｅ〜１７Ｈは、既述した幅広収容溝１７Ａ〜１７Ｄのコネクタ幅方向での寸法を小さくするとともに、一つの弾性係止片１７Ａ−４〜１７Ｄ−４及びストッパ部１７Ａ−５〜１７Ｄ−５を省略したような形状をなしている。したがって、図３、図４（Ａ），（Ｂ）に見られるように、幅狭収容溝１７Ｅ〜１７Ｈには、一対の案内部１７Ｅ−１〜１７Ｈ−１及び一つの弾性係止片１７Ｅ−４〜１７Ｈ−４が設けられている。該弾性係止片１７Ｅ−４〜１７Ｈ−４は、幅狭収容溝１７Ｅ〜１７Ｈ内にてコネクタ幅方向での中央位置に設けられている。本実施形態では、案内部１７Ｅ−１〜１７Ｈ−１は、既述した案内突条部１７Ａ−２の後端面と同様に、幅狭ブレード６０Ａ〜６０Ｂの腕部用ブレード６０Ａ−１〜６０Ｄ−１の後方からの挿入量を規制するストッパ部としての機能を有している。
【００６０】
図３では、幅狭収容溝１７Ｅ〜１７Ｈにおいて、幅広収容溝１７Ａ〜１７Ｄの各部に対応する部分には、幅広収容溝１７Ａ〜１７Ｄの部分に付された符号における「Ａ」〜「Ｄ」を「Ｅ」〜「Ｆ」に置き換えた符号が付されている。
【００６１】
ブレード収容部１０Ｇは、図３に見られるように、中間壁１０ＥよりもＹ１側に位置する領域にて、中間壁１０ＥのＹ１側の壁面及びこれに対向する側壁１３の内壁面（図３では図示せず）から突出する前方ブレード規制部１７Ｊ及び後方ブレード規制部１７Ｋが形成されている（図８をも参照）。
【００６２】
前方ブレード規制部１７Ｊは、図３に見られるように、前後方向における中段隔壁１８Ｂの後端より若干後方、かつ、上下方向における下段上部隔壁１８Ｃ−１と下段下部隔壁１８Ｃ−２との間に位置している。前方ブレード規制部１７Ｊの後端面をなす前方ブレード規制面１７Ｊ−１は、正規位置にある第三幅狭ブレード６０Ｃの脚部用ブレード６０Ｃ−２の前方にて該脚部用ブレード６０Ｃ−２の前面との間に若干の隙間をもって位置している。
【００６３】
後方ブレード規制部１７Ｋは、図３に見られるように、前後方向における上段隔壁１８Ａの後端より若干後方、かつ、上下方向における下段下部隔壁１８Ｃ−２とほぼ同じ高さに位置している。つまり、該後方ブレード規制部１７Ｋは、前方ブレード規制面１７Ｊ−１の後方かつ下方に位置している。該後方ブレード規制部１７Ｋの後端面をなす後方ブレード規制面１７Ｋ−１は、正規位置にある第四幅狭ブレード６０Ｄの脚部用ブレード６０Ｄ−２の前方にて該脚部用ブレード６０Ｄ−２の前面との間に若干の隙間をもって位置している。以下、必要に応じて、前方ブレード規制部１７Ｊ及び後方ブレード規制部１７Ｋを「ブレード規制部１７Ｊ，１７Ｋ」と総称する。
【００６４】
このように、ブレード規制面１７Ｊ−１，１７Ｋ−１は脚部用ブレード６０Ｃ−２，６０Ｄ−２の前面に対面して位置しており、後述するように、回路基板へのコネクタ実装時にて雄コネクタ１が加熱されたとき、脚部用ブレード６０Ｃ−２，６０Ｄ−２が前方へ変位した場合に、該脚部用ブレード６０Ｃ−２，６０Ｄ−２の前面に当接して、それ以上の変位を規制するようになっている（図８参照）。
【００６５】
［幅広ブレード及び幅狭ブレードの構成］
次に、幅広ブレード２０Ａ〜２０Ｄ及び幅狭ブレード６０Ａ〜６０Ｄの構成を説明する。図５（Ａ）は幅広ブレード２０Ａ〜２０Ｄを斜め上方から見た斜視図であり、図５（Ｂ）は幅狭ブレード６０Ａ〜６０Ｄを斜め上方から見た斜視図である。図６（Ａ）は、幅広ブレード２０Ａ〜２０Ｄを斜め下方から見た斜視図であり、（Ｂ）は幅狭ブレード６０Ａ〜６０Ｄを斜め下方から見た斜視図である。図７は、幅広ブレード２０Ａ〜２０Ｄの側面図である。
【００６６】
四種の幅広ブレード２０Ａ〜２０Ｄ及び四種の幅狭ブレード６０Ａ〜６０Ｄは、コネクタ幅方向に配列された複数の端子及び該複数の端子の配列範囲を覆うように配されたシールド板を絶縁板で保持することにより作られている。四種の幅狭ブレード６０Ａ〜６０Ｄは、幅寸法（コネクタ幅方向での寸法）が幅広ブレード２０Ａ〜２０Ｄよりも狭くなっている点、また、シールド板が設けられてない点で該幅広ブレード２０Ａ〜２０Ｄと異なっている。本実施形態では、まず、幅広ブレード２０Ａ〜２０Ｄについて構成を説明し、幅狭ブレード６０Ａ〜６０Ｄの構成については、幅広ブレード２０Ａ〜２０Ｄと異なる点を中心に説明する。また、四種の幅広ブレード２０Ａ〜２０Ｄは、互いに絶縁板及び端子の長さが異なっているが、基本的な構成は共通しているので、まず、第一幅広ブレード２０Ａについて構成を説明し、第二幅広ブレード２０Ｂ、第三幅広ブレード２０Ｃ及び第四幅広ブレード２０Ｄの構成については、他のブレードと異なる点を中心に説明する。
【００６７】
図５ないし図７に見られるように、第一幅広ブレード２０Ａは、コネクタ幅方向に配列された複数の導電条部材としての雄端子３０Ａと、端子の配列範囲を覆うように設けられたシールド板４０Ａと、雄端子３０Ａ及びシールド板４０Ａを一体モールド成形により保持する絶縁板５０Ａとを有している。
【００６８】
全ての雄端子３０Ａは同形状で作られているが、そのうちの一部の雄端子３０Ａが信号端子として、他部の雄端子３０Ａがグランド端子として使用されている。雄端子３０Ａは、金属帯条片を板厚方向に屈曲して作られた導電条部材であり、前後方向（コネクタ挿抜方向）に直状をなして延びる腕部３１Ａと、該腕部３１Ａの後端で下方へ向けて直角に屈曲された屈曲部３２Ａと、該屈曲部３２Ａを介して腕部３１Ａと連結されハウジング１０の底部へ向けて下方に延びる脚部３３Ａとを有している。
【００６９】
腕部３１Ａは、図５（Ａ）及び図７に見られるように、後述する腕部用絶縁板５０Ａ−１の上面に沿って前後方向に延びており、その全長にわたって腕部用絶縁板５０Ａ−１によって固定されて保持されている。図５（Ａ）及び図７に見られるように、該腕部３１Ａの上面（板面）の大部分は腕部用絶縁板５０Ａ−１の上面から露呈しており、該腕部３１Ａの前端側部分の上面（露呈面）は、雌コネクタ２に設けられた雌端子１２０と接触する雄接触部３１Ａ−１として形成されている。
【００７０】
脚部３３Ａは、図５（Ａ）及び図７に見られるように、後述する脚部用絶縁板５０Ａ−２の後面（図５（Ａ）でＸ１側の面）に沿って上下方向に延びており、その全長にわたって脚部用絶縁板５０Ａ−２によって固定されて保持されている。該脚部３３Ａの後面（板面）の大部分は脚部用絶縁板５０Ａ−２の後面から露呈している。該脚部３３Ａの下端部は、直角に屈曲されて後方（Ｘ１側）へ向けて延びており、回路基板（図示せず）の対応回路部に半田接続される接続部３３Ａ−１として形成されている。
【００７１】
図６（Ａ）に見られるように、シールド板４０Ａは、雄端子３０Ａの腕部３１Ａに対応して設けられる腕部用シールド板４０Ａ−１と、雄端子３０Ａの脚部３３Ａに対応して設けられる脚部用シールド板４０Ａ−２とを有している。腕部用シールド板４０Ａ−１は、後述する腕部用絶縁板５０Ａ−１の下面に沿って設けられており、前後方向では腕部３１Ａのほぼ全長にわたる範囲に延びるとともに、コネクタ幅方向（端子配列方向）では端子配列範囲全域にわたって延びている。
【００７２】
脚部用シールド板４０Ａ−２は、図５（Ｂ）に見られるように、後述する脚部用絶縁板５０Ａ−２の前面（図５（Ｂ）でのＸ２側の面）に沿って設けられており、上下方向では脚部３３Ａのほぼ全長にわたる範囲に延びるとともに、コネクタ幅方向（端子配列方向）では端子配列範囲全域にわたって延びている。
【００７３】
本実施形態では、腕部用シールド板４０Ａ−１及び脚部用シールド板４０Ａ−２は、コネクタ幅方向でのグランド端子としての雄端子３０Ａに対応する位置に、該雄端子３０Ａ側に突出する突出部分を有しており、該突出部分で上記雄端子３０Ａに接触することにより、該雄端子３０Ａと電気的に導通可能となっている。
【００７４】
絶縁板５０Ａは、図５ないし図７に見られるように、雄端子３０Ａの腕部３１Ａに対応して設けられる腕部用絶縁板５０Ａ−１と、雄端子３０Ａの脚部３３Ａに対応して設けられる脚部用絶縁板５０Ａ−２とを有している。
【００７５】
腕部用絶縁板５０Ａ−１は、樹脂製の板状部材であり、図５ないし図７に見られるように、前後方向では腕部３１Ａのほぼ全長にわたる範囲に延びるとともに、コネクタ幅方向（端子配列方向）では端子配列範囲全域にわたって延びている。該腕部用絶縁板５０Ａ−１は、図５（Ａ）に見られるように、その上面にて、前後方向での複数位置でコネクタ幅方向全域にわたって延びる端子保持部５１Ａが形成されている。該端子保持部５１Ａは、雄端子３０Ａの腕部３１Ａの上面を部分的に覆っており、これによって、腕部３１Ａが腕部用絶縁板５０Ａ−１によって、より確実に保持されている。本実施形態では、複数の端子保持部５１Ａのうち前方から二つ目の端子保持部５１Ａは前後方向でハウジング１０の第一弾性係止片１７Ａ−４の前端に対応して位置しており、最後方の端子保持部５１Ａ、換言すると、腕部用絶縁板５０Ａ−１の後端位置の５１Ａは、第一ストッパ部１７Ａ−５の後端に対応して位置している。
【００７６】
また、図２及び図５（Ａ）に見られるように、腕部用絶縁板５０Ａ−１は、前方から付二つ目の端子保持部５１Ａの上面から上方へ突出しコネクタ幅方向に延びる二つの前方突部５２Ａと、最後方の端子保持部５１Ａの上面から上方へ突出しコネクタ幅方向に延びる一つの後方突部５３Ａとを有している。二つの前方突部５２Ａは、コネクタ幅方向でハウジング１０の二つの第一弾性係止片１７Ａ−４の前端（図２及び図４（Ａ）参照）と対応する位置に形成されている。後方突部５３Ａは、図５（Ａ）に見られるように、腕部用絶縁板５０Ａ−１のコネクタ幅方向全域にわたって形成されており、コネクタ幅方向でハウジング１０の第一ストッパ部１７Ａ−５の後端（図２及び図４（Ａ），（Ｂ）参照）と対応して位置している。
【００７７】
後述するように、前方突部５２Ａが第一弾性係止片１７Ａ−４の前端と係止することにより、腕部用ブレード２０Ａ−１ひいては第一幅広ブレード２０Ａの後方への所定量以上の移動が規制されている（図２参照）。また、後方突部５３Ａは、第一ストッパ部１７Ａ−５のストッパ面１７Ａ−５Ａ（後端面）の若干後方にて該ストッパ面１７Ａ−５Ａに対面して位置しており、該ストッパ面１７Ａ−５Ａに後方から当接可能となっている。この結果、第一幅広収容溝１７Ａに対する後方からの腕部用ブレード２０Ａ−１の挿入量が規制を受けるようになっている。
【００７８】
また、腕部用絶縁板５０Ａ−１は、その下面にて、前後方向での複数位置で該下面から突出するとともにコネクタ幅方向全域にわたって延びるシールド板保持部５４Ａが形成されている（図７参照）。該シールド板保持部５４Ａは、腕部用シールド板４０Ａ−１の下面を部分的に覆っており、これによって、腕部用シールド板４０Ａ−１が腕部用絶縁板５０Ａ−１によって、より確実に保持されている。また、腕部用ブレード２０Ａ−１は、上段上部隔壁１８Ａ−１の上面に対してこれらのシールド板保持部５４Ａで当接し、これによって、腕部用ブレード２０Ａ−１が前後方向での全長にわたり上段上部隔壁１８Ａ−１の上面と接触することが阻止されている。
【００７９】
脚部用絶縁板５０Ａ−２は、樹脂製の板状部材であり、図２、図５ないし図７に見られるように、上下方向では脚部３３Ａのほぼ全長にわたる範囲に延びるとともに、コネクタ幅方向（端子配列方向）では端子配列範囲全域にわたって延びている。該脚部用絶縁板５０Ａ−２は、その後面にて上下方向での複数位置でコネクタ幅方向全域にわたって延びる端子保持部５５Ａが形成されている（図７参照）。該端子保持部５５Ａは、雄端子３０Ａの脚部３３Ａの後面を部分的に覆っており、これによって、脚部３３Ａが脚部用絶縁板５０Ａ−２によって、より確実に保持されている。また、脚部用絶縁板５０Ａ−２は、その前面にて上下方向での複数位置でコネクタ幅方向全域にわたって延びるシールド板保持部５６Ａが形成されている（図７参照）。該シールド板保持部５６Ａは、脚部用シールド板４０Ａ−２の前面を部分的に覆っており、これによって、脚部用シールド板４０Ａ−２が脚部用絶縁板５０Ａ−２によって、より確実に保持されている。
【００８０】
第一幅広ブレード２０Ａは、複数の雄端子３０Ａの腕部３１Ａ及び腕部用シールド板４０Ａ−１が腕部用絶縁板５０Ａ−１で、そして複数の雄端子３０Ａの脚部３３Ａ及び脚部用シールド板４０Ａ−２が脚部用絶縁板５０Ａ−２で、一体モールド成形により保持される。このようにして作られた第一幅広ブレード２０Ａは、腕部３１Ａ、腕部用シールド板４０Ａ−１及び腕部用絶縁板５０Ａ−１を有する腕部用ブレード２０Ａ−１と、脚部３３Ａ、脚部用シールド板４０Ａ−２及び脚部用絶縁板５０Ａ−２を有する脚部用ブレード２０Ａ−２とが、互いに直角をなして、雄端子３０Ａの屈曲部３２Ａで連結された構成となっている。
【００８１】
なお、本実施形態では、該屈曲部３２Ａが露呈した構成となっているが、これに代えて、腕部用絶縁板５０Ａ−１及び脚部用絶縁板５０Ａ−２と一体をなす樹脂製部分によって該屈曲部３２Ａが覆われていてもよい。また、本実施形態では、屈曲部３２が直角に屈曲されているが、屈曲部の屈曲角度はこれに限られず、鋭角あるいは鈍角の角度をもって屈曲されていてもよい。
【００８２】
第二幅広ブレード２０Ｂは、図２、図５ないし図７に見られるように、第一幅広ブレード２０Ａの腕部用ブレード２０Ａ−１を前後方向で短くするとともに、脚部用ブレード２０Ａ−２を上下方向で短くしたような形状をなしている。換言すると、第二幅広ブレード２０Ｂの雄端子３０Ｂの腕部３１Ｂ、脚部３３Ｂ、シールド板４０Ｂ−１，４０Ｂ−２、絶縁板５０Ｂ−１，５０Ｂ−２は、それぞれ第一幅広ブレード２０Ａの雄端子３０Ａの腕部３１Ａ、脚部３３Ａ、シールド板４０Ａ−１，４０Ａ−２、絶縁板５０Ａ−１，５０Ａ−２よりも短くなっている。
【００８３】
第三幅広ブレード２０Ｃは、図２、図５ないし図７に見られるように、第二幅広ブレード２０Ｂの腕部用ブレード２０Ｂ−１を前後方向で短くするとともに上下方向で反転させ、脚部用ブレード２０Ｂ−２を上下方向で短くするとともに前後方向で反転させたような形状をなしている。換言すると、第三幅広ブレード２０Ｃの雄端子３０Ｃの腕部３１Ｃ、脚部３３Ｃ、シールド板４０Ｃ−１，４０Ｃ−２、絶縁板５０Ｃ−１，５０Ｃ−２は、それぞれ第二幅広ブレード２０Ｂの雄端子３０Ｂの腕部３１Ｂ、脚部３３Ｂ、シールド板４０Ｂ−１，４０Ｂ−２、絶縁板５０Ｂ−１，５０Ｂ−２よりも短くなっている。また、該第三幅広ブレード２０Ｃは、雄端子３０Ｃの接続部３３Ｃ−１が前方へ向けて延びている点で、雄端子３０Ｂの接続部３３Ｂ−１が後方へ向けて延びている第二幅広ブレード２０Ｂと異なっている。
【００８４】
第四幅広ブレード２０Ｄは、第三幅広ブレード２０Ｃの腕部用ブレード２０Ｃ−１を前後方向で短くするとともに、脚部用ブレード２０Ｃ−２を上下方向で短くしたような形状をなしている。換言すると、第四幅広ブレード２０Ｄの雄端子の雄端子３０Ｄの腕部３１Ｄ、脚部３３Ｄ、シールド板４０Ｄ−１，４０Ｄ−２、絶縁板５０Ｄ−１，５０Ｄ−２は、それぞれ第三幅広ブレード２０Ｃの雄端子３０Ｃの腕部３１Ｃ、脚部３３Ｃ、シールド板４０Ｃ−１，４０Ｃ−２、絶縁板５０Ｃ−１，５０Ｃ−２よりも短くなっている。
【００８５】
次に、幅狭ブレード６０Ａ〜６０Ｄの構成を説明する。幅狭ブレード６０Ａ〜６０Ｄの各部の構成については、幅広ブレード２０Ａ〜２０Ｄにおける対応部分の符号に「４０」を加えた符号を付し、該幅広ブレード２０Ａ〜２０Ｄと異なる点を中心に説明する。
【００８６】
既述したように、図５及び図６に見られるように、幅狭ブレード６０Ａ〜６０Ｄは、幅広ブレード２０Ａ〜２０Ｄをコネクタ幅方向で小さくしたような形状をなしている。また、幅狭ブレード６０Ａ〜６０Ｄには、シールド板が設けられておらず、この点で、シールド板を有する幅広ブレード２０Ａ〜２０Ｄと構成が異なっている。
【００８７】
図５、図６及び図８に見られるように、幅狭ブレード６０Ａ〜６０Ｄにおいて、腕部用ブレード６０Ａ−１〜６０Ｄ−１における端子配列面の反対側、及び、脚部用ブレード６０Ａ−２〜６０Ｄ−２における端子配列面の反対側は、絶縁板で形成された板面となっている。また、該絶縁板９０Ａ−１〜９０Ｄ−２の板面には、シールド板保持部５４Ａ〜５４Ｄ、５６Ａ〜５６Ｄに代えて、該板面から突出する突条部９４Ａ〜９４Ｄ、９６Ａ〜９６Ｄが形成されている。また、幅狭ブレード６０Ａ〜６０Ｂにおいて、腕部用絶縁板９０Ａ−１〜９０Ｄ−１には、前方突部９２Ａ〜９２Ｄはそれぞれ一つずつ設けられており、この点で、前方突部５２Ａ〜５２Ｄが二つずつ設けられている幅広ブレード２０Ａ〜２０Ｂと異なっている。
【００８８】
また、前方突部９２Ａ〜９２Ｄは、幅狭ブレード６０Ａ〜６０Ｄの幅方向（Ｙ軸方向）での両端部に、他部よりも後方へ延出した補強部９２Ａ−１〜９２Ｄ−１が形成されており（図５、図６及び図８参照）、該補強部９２Ａ−１〜９２Ｄ−１によって前方突部９２Ａ〜９２Ｄの強度の向上が図られている。
【００８９】
また、第二幅狭ブレード６０Ｂの脚部用ブレード６０Ｂ−２は、図５、図６及び図８に見られるように、脚部用絶縁板９０Ｂ−２のコネクタ幅方向（Ｙ軸方向）での両端部が、上下方向中間位置で切り欠かれて切欠部９７Ｂが形成されている。該切欠部９７Ｂは、上下方向にて雄ハウジング１０の後方ブレード規制部１７Ｋを含む範囲にわたって形成されている。したがって、後述するように、雄ハウジング１０へ第二幅狭ブレード６０Ｂを後方から取り付ける際に、該切欠部９７Ｂによって、脚部用ブレード６０Ｂ−２が後方ブレード規制部１７Ｋに干渉することが回避される（図８参照）。
【００９０】
また、該切欠部９７Ｂは、上下方向で前方ブレード規制部１７Ｊの位置には及んでいない。したがって、第二幅狭ブレード６０Ｂの取付時にて、前方ブレード規制部１７Ｊは、切欠部９７Ｂを前方から通過することはなく、第二幅狭ブレード６０Ｂの脚部用ブレード６０Ｂ−２の前面と当接可能に位置するようになる（図８参照）。
【００９１】
また、第三幅狭ブレード６０Ｃの脚部用ブレード６０Ｃ−２は、図５、図６及び図８に見られるように、脚部用絶縁板９０Ｂ−２のコネクタ幅方向（Ｙ軸方向）での両端部が、上下方向中間位置で切り欠かれて切欠部９７Ｃが形成されている。該切欠部９７Ｃは、上下方向にて雄ハウジング１０のブレード規制部１７Ｊ，１７Ｋを含む範囲にわたって形成されている。したがって、後述するように、雄ハウジング１０へ第三幅狭ブレード６０Ｃを後方から取り付ける際に、該切欠部９７Ｃによって、脚部用ブレード６０Ｃ−２がブレード規制部１７Ｊ，１７Ｋに干渉することが回避される（図８参照）。
【００９２】
［雄コネクタの組立て］
次に雄コネクタ１の組立てについて説明する。雄コネクタ１は、四種の幅広ブレード２０Ａ〜２０Ｄ及び四種の幅狭ブレード６０Ａ〜６０Ｄをハウジング１０へ後方から取り付けることにより組み立てられる。このとき、幅広ブレード２０Ａ〜２０Ｄは、第四幅広ブレード２０Ｄ、第三幅広ブレード２０Ｃ、第二幅広ブレード２０Ｂ、第一幅広ブレード２０Ａの順に取り付けられ、幅狭ブレード６０Ａ〜６０Ｄは、第四幅狭ブレード６０Ｄ、第三幅狭ブレード６０Ｃ、第二幅狭ブレード６０Ｂ、第一幅狭ブレード６０Ａの順に取り付けられる。
【００９３】
まず、取付部材１００を、ハウジング１０の取付部１３Ａ（図１参照）へ上方から圧入することにより取り付ける。取付部材１００の取付けは、幅広ブレード２０Ａ〜２０Ｄ及び幅狭ブレード６０Ａ〜６０Ｄの取付けの後に行われてもよいし、また、同時に行われてもよい。また、取付部材１００は下方からの圧入により取り付けられてもよいし、ハウジング１０との一体モールド成形により取り付けられてもよい。
【００９４】
次に、第四幅広ブレード２０Ｄの腕部用ブレード２０Ｄ−１を、ハウジング１０の下段下部隔壁１８Ｃ−２の下面に沿わせながら前方へ移動させて、第四幅広収容溝１７Ｄへ挿入する。このとき、腕部用ブレード２０Ｄ−１の両側の側端部（コネクタ幅方向での端部）が案内溝１７Ｄ−３内へ後方から進入する。該案内溝１７Ｄ−３内にて、腕部用ブレード２０Ｄ−１の側端部は、該案内溝１７Ｄ−３の上側内壁面（案内突条部１７Ｄ−２の下面）及び下側内壁面（底壁１２の上面）によって上下方向での移動の規制を受けるとともに、側方内壁面（側壁１３の内壁面及び中間壁１０Ｅの壁面）によってコネクタ幅方向での移動の規制を受ける。
【００９５】
このように、腕部用ブレード２０Ｄ−１の側端部が上下方向での移動の規制を受けることにより、該腕部用ブレード２０Ｄ−１は、コネクタ幅方向（Ｙ軸方向）に見たときに、腕部用ブレード２０Ｄ−１の板面上でコネクタ幅方向に延びる軸線（仮想線）まわりで傾斜した姿勢となることが最小限に抑制され、該腕部用ブレード２０Ｄ−１の板面が回路基板の実装面に対して平行をなした姿勢で安定しやすくなる。また、腕部用ブレード２０Ｄ−１の側端部がコネクタ幅方向での移動の規制を受けることにより、腕部用ブレード２０Ｄ−１は、上下方向（Ｚ軸方向）に見たときに、上下方向に延びる軸線（仮想線）まわりで傾斜した姿勢となることが最小限に抑制され、前後方向に延びた姿勢で安定しやすくなる。したがって、ハウジング１０の第四幅広収容溝１７Ｄへ腕部用ブレード２０Ｄ−１を挿入する作業が容易となる。
【００９６】
腕部用ブレード２０Ｄ−１の挿入過程にて、該腕部用ブレード２０Ｄ−１の前方突部５２Ｄが第四弾性係止片１７Ｄ−４に当接し、該第四弾性係止片１７Ｄ−４を下方へ向けて弾性変形させることにより、腕部用ブレード２０Ｄ−１のさらなる挿入が許容される。
【００９７】
さらに、腕部用ブレード２０Ｄ−１が挿入されて、前方突部５２Ｄが第四弾性係止片１７Ｄ−４の前端よりも前方位置に達すると、該第四弾性係止片１７Ｄ−４が自由状態に戻る。その結果、図２に見られるように、第四弾性係止片１７Ｄ−４の前端が、前方突部５２Ｄの後方で該前方突部５２Ｄと係止して、腕部用ブレード２０Ｄ−１ひいては第四幅広ブレード２０Ｄの後方への移動が阻止される。
【００９８】
また、このとき、腕部用ブレード２０Ｄ−１の後方突部５３Ｄはストッパ部１７Ｄ−５のストッパ面１７Ｄ−５Ａ（後端面）の若干後方にて該ストッパ面１７Ｄ−５Ａに当接可能に位置する。したがって、仮に腕部用ブレード２０Ｄ−１が過剰に挿入されようとしても、後方突部５３Ｄがストッパ面１７Ｄ−５Ａに後方から当接することにより、それ以上の前方への移動が規制されるので、腕部用ブレード２０Ｄ−１を容易に正規の位置に配置することが可能となる。
【００９９】
次に、上述した第四幅広ブレード２０Ｄの取付けと同じ要領で、第三幅広ブレード２０Ｃの腕部用ブレード２０Ｃ−１、第二幅広ブレード２０Ｂの腕部用ブレード２０Ｂ−１そして第一幅広ブレード２０Ａの腕部用ブレード２０Ａ−１をこの順で、それぞれ第三幅広収容溝１７Ｃ、第二幅広収容溝１７Ｂそして第一幅広収容溝１７Ａへ後方から挿入することにより、各幅広ブレード２０Ｃ，２０Ｂ，２０Ａをハウジング１０へ取り付ける。
【０１００】
また、本実施形態では、第一幅広ブレード２０Ａについては、後方突部５３Ａが腕部用ブレード２０Ａ−１のコネクタ幅方向全域にわたって延びているので、第一幅広ブレード２０Ａがハウジング１０に取り付けられた状態において、後方突部５３Ａは、コネクタ幅方向での中央部が第一ストッパ部１７Ａ−５のストッパ面１７Ａ−５Ａと対面するとともに、コネクタ幅方向での両端部で案内突条部１７Ａ−２の後端面と対面することにより、腕部用ブレード２０Ａ−１の過剰な挿入が規制されるようになっている。
【０１０１】
幅広ブレード２０Ａ〜２０Ｄがハウジング１０に取り付けられた状態にて、該幅広ブレード２０Ａ〜２０Ｄは、腕部用ブレード２０Ａ−１〜２０Ｄ−１同士が上下方向でそして脚部用ブレード２０Ａ−２〜２０Ｄ−２同士が前後方向で間隔をもって順次位置した状態で、ハウジング１０に保持される。また、図２に見られるように、各ブレード２０Ａ〜２０Ｄの雄端子３０Ａ〜３０Ｄの接続部３３Ａ−１〜３３Ｄ−１は、ハウジング１０の底壁１２の底面よりも下方に位置する。
【０１０２】
次に、上述した幅広ブレード２０Ａ〜２０Ｄの取付けと同じ要領で、第四幅狭ブレード６０Ｄの腕部用ブレード６０Ｄ−１、第三幅狭ブレード６０Ｃの腕部用ブレード６０Ｃ−１、第二幅狭ブレード６０Ｂの腕部用ブレード６０Ｂ−１、第一幅狭ブレード６０Ａの腕部用ブレード６０Ａ−１をこの順で、それぞれ第四幅狭収容溝１７Ｈ、第三幅狭収容溝１７Ｇ、第二幅狭収容溝１７Ｆそして第一幅狭収容溝１７Ｅへ後方から挿入することにより、各幅狭ブレード６０Ａ〜６０Ｄをハウジング１０へ取り付ける。
【０１０３】
幅狭ブレード６０Ａ〜６０Ｄの腕部用ブレード６０Ａ−１〜６０Ｄ−１の挿入時においても、既述した幅広ブレード２０Ａ〜２０Ｄの場合と同様に、腕部用ブレード６０Ａ−１〜６０Ｄ−１の両側の側端部が案内溝１７Ｅ−３〜１７Ｈ−３内で上下方向及びコネクタ幅方向にて移動の規制を受けるので、該腕部用ブレード６０Ａ−１〜６０Ｄ−１の姿勢が安定し、この結果、幅狭収容溝１７Ｅ〜１７Ｈへ腕部用ブレード６０Ａ−１〜６０Ｄ−１を挿入する作業が容易となる。
【０１０４】
本実施形態では、既述したように、第三幅狭ブレード６０Ｃの脚部用ブレード６０Ｃ−２に、ハウジング１０のブレード規制部１７Ｊ，１７Ｋと対応する位置に切欠部９７Ｃが形成されている。したがって、第三幅狭該ブレード６０Ｃの腕部用ブレード６０Ｃ−１の挿入時にて、脚部用ブレード６０Ｃ−２とブレード規制部１７Ｊ，１７Ｋが干渉することがないので、腕部用ブレード６０Ｃ−１を難なく正規位置まで挿入することができる。
【０１０５】
また、本実施形態では、既述したように、第二幅狭ブレード６０Ｂの脚部用ブレード６０Ｂ−２に、ハウジング１０の後方ブレード規制部１７Ｋと対応する位置に切欠部９７Ｂが形成されている。したがって、第二幅狭該ブレード６０Ｂの腕部用ブレード６０Ｂ−１の挿入時にて、脚部用ブレード６０Ｂ−２と後方ブレード規制部１７Ｋが干渉することがないので、腕部用ブレード６０Ｂ−１を難なく正規位置まで挿入することができる。
【０１０６】
また、幅狭ブレード６０Ａ〜６０Ｄがハウジング１０に取り付けられた状態において、腕部用ブレード６０Ａ−１〜６０Ｄ−１の後方突部９３Ａ〜９３Ｄは、案内突条部１７Ｅ−２〜１７Ｈ−２の後端面と対面することにより、腕部用ブレード６０Ａ−１〜６０Ｄ−１の過剰な挿入が規制される。また、第一幅狭ブレード６０Ａの脚部用ブレード６０Ａ−２は、その両側端部で後方ブレード規制部１７Ｋの後端面に対面して位置する。第二幅狭ブレード６０Ｂの脚部用ブレード６０Ｂ−２は、その両側端部で前方ブレード規制部１７Ｊの後端面に対面して位置する。
【０１０７】
幅狭ブレード６０Ａ〜６０Ｄがハウジング１０に取り付けられた状態にて、該幅狭ブレード６０Ａ〜６０Ｄは、腕部用ブレード６０Ａ−１〜６０Ｄ−１同士が上下方向でそして脚部用ブレード６０Ａ−２〜６０Ｄ−２同士が前後方向で間隔をもって順次位置した状態で、ハウジング１０に保持される。また、図３に見られるように、各ブレード６０Ａ〜６０Ｄの雄端子７０Ａ〜７０Ｄの接続部７３Ａ−１〜７３Ｄ−１は、ハウジング１０の底壁１２の底面よりも下方に位置する。
【０１０８】
［雄コネクタの実装］
本実施形態に係る雄コネクタ１は、次の要領で回路基板の実装面に実装される。まず、雄コネクタ１を、回路基板の実装面とハウジング１０の底壁１２が対面するようにして、各種ブレード２０Ａ〜２０Ｄ，６０Ａ〜６０Ｄの接続部３３Ａ−１〜３３Ｄ−１，７３Ａ−１〜７３Ｄ−１を実装面上の対応回路部上に配置する。次に、雄コネクタ１を回路基板とともにリフロー炉へ導入し、該リフロー炉内で加熱することにより、接続部３３Ａ−１〜３３Ｄ−１，７３Ａ−１〜７３Ｄ−１を上記対応回路部と半田接続して実装する。
【０１０９】
本実施形態では、幅狭ブレード６０Ａ〜６０Ｄは、既述したようにシールド板が設けられておらず、コネクタ１がリフロー炉内で加熱された際に、金属製の雄端子７０Ａ〜７０Ｄの腕部７１Ａ〜７１Ｄと樹脂製の腕部用絶縁板９０Ａ−１〜９０Ｄ−１、そして金属製の雄端子７０Ａ〜７０Ｄの脚部７３Ａ〜７３Ｄと樹脂製の脚部用絶縁板９０Ａ−２〜９０Ｄ−２との熱膨張率の相違に起因して、腕部用ブレード６０Ａ−１〜６０Ｄ−１及び脚部用ブレード６０Ａ−２〜６０Ｄ−２がその板厚方向で反るようにして変形しやすい。この変形は、腕部用ブレード６０Ａ−１〜６０Ｄ−１及び脚部用ブレード６０Ａ−２〜６０Ｄ−２において雄端子７０の配列面側とは反対側へ向けた変位を生じさせる。脚部用ブレード６０Ａ−２〜６０Ｄ−２のそのような変位が生じると、雄端子７０Ａ〜７０Ｄの接続部７３Ａ−１〜７３Ｄ−１が上方へ、すなわち回路基板の対応回路部から離間する方向へもち上がってしまい、該対応回路部との接続不良の原因となり得る。
【０１１０】
本実施形態では、腕部用ブレード６０Ａ−１〜６０Ｄ−１の側端部は案内溝１７Ｅ−３〜１７Ｈ−３内に位置しているので、腕部用ブレード６０Ａ−１〜６０Ｄ−１の板厚方向、すなわち上下方向での変位は、案内溝１７Ｅ−３〜１７Ｈ−３の上側内壁面及び下側内壁面によって規制される。
【０１１１】
また、脚部用ブレード６０Ａ−２，６０Ｂ−２の側端部の前方には、ハウジング１０のブレード規制部１７Ｋ，１７Ｊが該脚部用ブレード６０Ａ−２，６０Ｂ−２のそれぞれに対して当接可能に位置している。したがって、脚部用ブレード６０Ａ−２，６０Ｂ−２の前方へ向けた変位はブレード規制部１７Ｋ，１７Ｊのブレード規制面１７Ｋ−１，１７Ｊ−１との当接によりことにより規制される。この結果、雄端子７０Ａ，７０Ｂの接続部７３Ａ−１，７３Ｂ−１は上方にもち上がりにくくなり、該接続部７３Ａ−１，７３Ｂ−１と回路基板の対応回路部とを確実に半田接続することが可能となる。
【０１１２】
また、回路基板への実装後において、不用意な衝撃等による外力が脚部用ブレード６０Ａ−２，６０Ｂ−２に対して後方から作用しても、該脚部用ブレード６０Ａ−２，６０Ｂ−２の前方への変位はブレード規制部１７Ｋ，１７Ｊとの当接により規制される。この結果、接続部７３Ａ−１，７３Ｂ−１と回路基板の対応回路部との接続状態が良好に維持される。
【０１１３】
なお、本実施形態では、幅狭ブレード６０Ｃ〜６０Ｄの脚部用ブレード６０Ｃ−２，６０Ｄ−２については、該脚部用ブレード６０Ｃ−２，６０Ｄ−２の上下方向寸法が小さいので、加熱による変形量が小さく、接続部７３Ａ−１〜７３Ｄ−１の接続状態への影響は小さいので、該脚部用ブレード６０Ｃ−２，６０Ｄ−２の変位を規制する部分をハウジング１０に設ける必要がない。
【０１１４】
また、幅広ブレード２０Ａ〜２０Ｄにおいては、腕部用ブレード２０Ａ−１〜２０Ｄ−１及び脚部用ブレード２０Ａ−２〜２０Ｄ−２のそれぞれにおいて、雄端子３０Ａ〜３０Ｄの腕部３１Ａ〜３１Ｄ及び脚部３３Ａ〜３３Ｄの配列面と反対側の板面に金属製の腕部用シールド板４０Ａ−１〜４０Ｄ−１及び脚部用シールド板４０Ａ−２〜４０Ｄ−２が設けられているので、上述したような変形が起こりにくい。
【０１１５】
本実施形態では、幅狭ブレード６０Ａ，６０Ｂの脚部用ブレード６０Ａ−２，６０Ｂ−２が前方へ向けた変位を規制する例を説明したが、該脚部用ブレードが加熱時に後方へ向けて変位することが予め分かっている場合には、ハウジングの収容部内にて、該脚部用ブレードの後方で脚部用ブレードの後面に対面して位置するブレード規制部を形成して、該脚部用ブレードの後方への変位を規制するようにしてもよい。
【０１１６】
脚部用ブレードの後方への変位を規制するブレード規制部は、種々の形状で形成できる。例えば、ハウジングの収容部の内壁面（コネクタ幅方向に対して直角な面）の一部を切り欠くことにより、該内壁面に沿って前方（ブレードの挿入方向）へ向けて延びるとともに、上記内壁面よりも突出した突部が前端に形成されたラッチの機能をもつ弾性片として、ブレード規制部を形成することができる。このように、ブレード規制部を弾性片として形成した場合、ブレードをハウジングの後方から取り付ける過程にて、脚部用ブレードの両方の側端部がそれぞれ対応する上記突部に当接して上記弾性片をコネクタ幅方向に押し広げるようにして弾性変形させる。そして、さらに脚部用ブレードが前方へ進行して上記突部の位置を通過すると、上記弾性片が自由状態に戻ることにより、上記突部が脚部用ブレードの後方で脚部用ブレードの後面に対面して位置する。この結果、上記突部によって脚部用ブレードの後方への変位が規制されることとなる。
【０１１７】
［雌コネクタの構成］
次に、図１ないし図３に基づいて雌コネクタ２の構成を説明する。該雌コネクタ２は、後方（Ｘ１方向）へ向けて雄コネクタ１に嵌合接続されるようになっている。該雌コネクタ２は、コネクタ１の嵌合部に適合した直方体形外形のハウジング１１０と、該ハウジング１１０に配列保持される複数の相手端子としての雌端子１２０と、該ハウジング１１０に保持される取付部材１３０とを有している。
【０１１８】
ハウジング１１０は、図１に見られるように、上下方向に対して直角な板面をもちコネクタ幅方向に延びる四つの端子保持壁１１１Ａ〜１１１Ｄと、該コネクタ幅方向に対して直角な板面をもち上下方向に延びて上記四つの端子保持壁１１１Ａ〜１１１Ｄのコネクタ幅方向端部同士を連結する二つの側壁１１２と、該側壁１１２に対して平行をなしコネクタ幅方向中間位置で上下方向に延びて上記四つの端子保持壁１１１Ａ〜１１１Ｄを連結する中間壁１１３とを有している。
【０１１９】
端子保持壁１１１Ａ〜１１１Ｄは上方から順に互いに平行をなすように配されており、雄コネクタの幅広ブレード２０Ａ〜２０Ｄ及び幅狭ブレード６０Ａ〜６０Ｄにそれぞれ対応して設けられている。以下、端子保持壁１１１Ａ〜１１１Ｄを区別する必要があるときは、それぞれ「第一端子保持壁１１１Ａ」、「第二端子保持壁１１１Ｂ」、「第三端子保持壁１１１Ｃ」、「第四端子保持壁１１１Ｄ」という。
【０１２０】
第一端子保持壁１１１Ａは、ハウジング１１０の上壁をなしており、雌端子１２０を保持するための端子保持溝１１１Ａ−１（図２及び図３参照）が下面から没するとともに前後方向に延びており、コネクタ幅方向に配列形成されている。第二端子保持壁１１１Ｂは、上述した第一端子保持壁１１１Ａと同様に、雌端子１２０を保持するための端子保持溝１１１Ｂ−１が下面から没するとともに前後方向に延びており、コネクタ幅方向に配列形成されている。
【０１２１】
第三端子保持壁１１１Ｃは、上述した第二端子保持壁１１１Ｂを上下反転させた形状をなしており、その上面に端子保持溝１１１Ｃ−１が配列形成されている。第四端子保持壁１１１Ｄは、ハウジング１１０の底壁をなしており、上述した第一端子保持壁１１１Ａを上下反転させた形状をなしており、その上面に端子保持溝１１１Ｄ−１が配列形成されている。
【０１２２】
側壁１１２の前部（図１にてＹ２側かつ図２及び図３にてＸ２側）には、コネクタ幅方向外方に突出した取付部１１２Ａが上下方向に延びて設けられていて、該取付部１１２Ａには、金属板部材で作られた取付部材１３０が、ハウジング１０の前端面よりも前方に突出して設けられている。中間壁１１３は、雄コネクタ１の中間壁１０Ｅに対応して、コネクタ幅方向（図１ではＸ軸方向）でＸ２側に寄った位置で、上下方向そして前後方向でハウジング１１０の全域にわたって延びることにより、コネクタ幅方向で嵌合部を二分している。雌コネクタ２の嵌合部は、図１におけるコネクタ幅方向での中間壁１１３よりもＸ１側の領域（以下、「雌側幅広嵌合域」という）で、雄コネクタ１の幅広ブレード２０Ａ〜２０Ｄと接続され、中間壁１１３よりもＸ２側の部分（以下、「雌側幅狭嵌合域」という）で、雄コネクタ１の幅狭ブレード６０Ａ〜６０Ｄと接続される。
【０１２３】
ハウジング１１０は、雌側幅広嵌合域において、第一端子保持壁１１１Ａと第二端子保持壁１１１Ｂとの間に、該第一端子保持壁１１１Ａの下面に沿って延び雄コネクタ１の第一幅広ブレード２０Ａの前端部を受け入れるための上段幅広ブレード受入空間１１４Ａと、該上段幅広ブレード受入空間１１４Ａの下方で雄コネクタ１の雄側上段幅広嵌合域と対応する雌側上段幅広嵌合域が形成されている。該雌側上段幅広嵌合域には、該雌側上段幅広嵌合域のコネクタ幅方向中央域で第二端子保持壁１１１Ｂの上面から上方へ突出するとともに前後方向に延びる上段ブロック部１１５Ａと、コネクタ幅方向での該上段ブロック部１１５Ａの外側よりコネクタ幅方向でのＸ１側で前後方向（Ｙ軸方向）に貫通する空間をなす上段被ガイド部１１６Ａと、コネクタ幅方向での該上段ブロック部１１５ＡのＸ２側で前後方向に貫通する空間をなす上段被規制部１１７Ａとが形成されている。
【０１２４】
上段ブロック部１１５Ａは、コネクタ幅方向でのＸ１側の側面が、コネクタ嵌合状態にて雄コネクタ１の上段幅広ガイド部１４Ａの側面と当接してコネクタ幅方向での移動の規制を受ける被規制面をなしている。
【０１２５】
上段被ガイド部１１６Ａは、コネクタ嵌合状態にて、雄コネクタ１の上段幅広ガイド部１４Ａを後方から受け入れて収容する空間である。該上段被ガイド部１１６Ａを形成する側壁１１２の内壁面は、上段幅広ガイド部１４Ａの側面と当接してコネクタ幅方向での移動の規制を受ける被規制面をなしている。
【０１２６】
上段被規制部１１７Ａは、コネクタ嵌合状態にて、雄コネクタ１の上段規制部１５Ａを後方から受け入れて収容する空間である。該上段被規制部１１７Ａを形成する中間壁１１３の側面は、上記上段規制部１５Ａの側面と当接してコネクタ幅方向での移動の規制を受ける被規制面をなしている。
【０１２７】
雌側幅広嵌合域において、第二端子保持壁１１１Ｂと第三端子保持壁１１１Ｃとの間には、雄コネクタ１の第二幅広ブレード２０Ｂ、第三幅広ブレード２０Ｃ及び中段隔壁１８Ｂそれぞれの前端側部分を受け入れるための中段幅広ブレード受入空間１１４Ｂが形成されている。
【０１２８】
雌側幅広嵌合域において、第三端子保持壁１１１Ｃと第四端子保持壁１１１Ｄとの間には、該第四端子保持壁１１１Ｄの上面に沿って延び雄コネクタ１の第四幅広ブレード２０Ｄの前端部を受け入れるための下段幅広ブレード受入空間１１４Ｃと、該下段幅広ブレード受入空間１１４Ｃの上方で雄コネクタ１の雄側下段幅広嵌合域と対応する雌側下段幅広嵌合域が形成されている。該雌側下段幅広嵌合域には、該雌側下段幅広嵌合域のコネクタ幅方向中央域で第三端子保持壁１１１Ｃの下面から下方へ突出するとともに前後方向に延びる下段ブロック部１１５Ｂと、コネクタ幅方向での該下段ブロック部１１５ＢのＸ１側で前後方向に貫通する空間をなす下段被ガイド部１１６Ｂと、コネクタ幅方向での該下段ブロック部１１５ＢのＸ２側で前後方向に貫通する空間をなす下段被規制部１１７Ｂとが形成されている。
【０１２９】
下段ブロック部１１５Ｂは、上段ブロック部１１５Ａを上下反転させたような形状をなしているが、上段ブロック部１１５Ａよりもコネクタ幅方向寸法が小さくなっている点で形状が異なっている。
【０１３０】
下段被ガイド部１１６Ｂ及び下段被規制部１１７Ｂは、それぞれ上段被ガイド部１１６Ａ及び上段被規制部１１７Ａを上下反転させたような形状をなしているが、上述したように下段ブロック部１１５Ｂが幅狭となっている分、該上段被ガイド部１１６Ａ及び上段被規制部１１７Ａよりもコネクタ幅方向寸法が大きくなっている点で形状が異なっている。
【０１３１】
ハウジング１１０は、雌側幅狭嵌合域において、第一端子保持壁１１１Ａと第二端子保持壁１１１Ｂとの間に、該第一端子保持壁１１１Ａの下面に沿って延び雄コネクタ１の第一狭ブレード６０Ａの前端部を受け入れるための上段幅狭ブレード受入空間１１４Ｄと、該上段幅狭ブレード受入空間１１４Ｄの下方で雄コネクタ１の雄側上段幅狭嵌合域と対応する雌側上段幅狭嵌合域が形成されている。該雌側上段幅狭嵌合域には、前後方向（Ｙ軸方向）に貫通する空間をなす上段被ガイド部１１６Ｃが形成されている。
【０１３２】
雌側幅狭嵌合域において、第二端子保持壁１１１Ｂと第三端子保持壁１１１Ｃとの間には、雄コネクタ１の第二幅狭ブレード６０Ｂ、第三幅狭ブレード６０Ｃ及び中段隔壁１８Ｂのそれぞれの前端側部分を受け入れるための中段幅狭ブレード受入空間１１４Ｅが形成されている。
【０１３３】
雌側幅狭領域において、第三端子保持壁１１１Ｃと第四端子保持壁１１１Ｄとの間には、該第四端子保持壁１１１Ｄの上面に沿って延び雄コネクタ１の第四幅狭ブレード６０Ｄの前端部を受け入れるための下段幅狭ブレード受入空間１１４Ｆと、該下段幅狭ブレード受入空間１１４Ｆの上方で雄コネクタ１の雄側下段幅狭嵌合域と対応する雌側下段幅狭嵌合域が形成されている。該雌側下段幅広嵌合域には、前後方向に貫通する空間をなす下段被ガイド部１１６Ｄが形成されている。
【０１３４】
雌端子１２０は、雄コネクタ１の幅広ブレード２０Ａ〜２０Ｄ及び幅狭ブレード６０Ａ〜６０Ｂに対応して上下方向で四つの端子群そしてコネクタ幅方向で二つの端子群として、合計八つの端子群に分けて設けられており、それぞれ端子保持壁１１１Ａ〜１１１Ｄの端子保持溝１１１Ａ−１〜１１１Ｄ−１内へ前方から圧入されて保持されている。各端子群の複数の雌端子１２０には、信号端子とグランド端子が含まれており、各端子群において該信号端子及び該グランド端子が、雄コネクタ１の信号端子及びグランド端子に対応する順序で配列されている。本実施形態では、説明の便宜上、各端子群に雌端子１２０を区別する必要があるときには、該雌端子１２０を、雌側幅広嵌合域での上方の端子群から順に「第一雌端子１２０Ａ」，「第二雌端子１２０Ｂ」，「第三雌端子１２０Ｃ」，「第四雌端子１２０Ｄ」、さらに、雌側幅狭嵌合域での上方の端子群から順に「第一雌端子１２０Ｅ」，「第二雌端子１２０Ｆ」，「第三雌端子１２０Ｇ」，「第四雌端子１２０Ｈ」というとともに、雌端子１２０の各部の符号にもそれぞれ「Ａ」ないし「Ｈ」を付することとする。
【０１３５】
雌端子１２０は、金属帯状片を板厚方向に屈曲して作られており、図２及び図３に見られるように、前後方向に延びる弾性腕部１２１と、該弾性腕部１２１に連続しハウジング１０の前部で圧入保持される被保持部１２２と、該被保持部１２２の前端（図２及び図３でのＸ２側の端部）で直角に屈曲されて延び回路基板の対応回路部（図示せず）に半田接続される接続部１２３とを有している。
【０１３６】
弾性腕部１２１Ａ〜１２１Ｈは、板厚方向（図２及び図３での上下方向）で弾性変形可能であり、その自由端部には、コネクタ１の雄端子３０Ａ〜３０Ｄに弾性接触可能な雌接触部１２１Ａ−１〜１２１Ｈ−１が屈曲形成されている。具体的には、図２及び図３に見られるように、弾性腕部１２１Ａ，１２１Ｂ，１２１Ｅ，１２１Ｆの雌接触部１２１Ａ−１，１２１Ｂ−１，１２１Ｅ−１，１２１Ｆ−１は下方へ、弾性腕部１２１Ｃ，１２１Ｄ，１２１Ｇ，１２１Ｈの雌接触部１２１Ｃ−１，１２１Ｄ−１，１２１Ｇ−１，１２１Ｈ−１は上方へ向けて突出するように形成されている。
【０１３７】
接続部１２３Ａ〜１２３Ｈは、図３（Ａ），（Ｂ）に見られるように、ハウジング１１０の前面よりも前方（図２及び図３にてＸ２側）に位置しており、接続部１２３Ａ，１２３Ｂ，１２３Ｅ，１２３Ｆは上方へ、そして接続部１２３Ｃ，１２３Ｄ，１２３Ｇ，１２３Ｈは下方へ向けて延びている。
【０１３８】
取付部材１３０は、雌コネクタ２を回路基板へ固定取付けするための部材であり、金属板部材で作られており、図１ないし図３に見られるように、ハウジング１１０の前面よりも前方に向け突出するようにして、ハウジング１１０の側壁１１２の取付部１１２Ａで保持されている。
【０１３９】
このような構成の雌コネクタ２は、回路基板（図示せず）の実装面上に配置され、雌端子１２０Ａ〜１２０Ｈの接続部１２３Ａ〜１２３Ｈがそれぞれ回路基板の対応回路部に半田接続されるとともに、取付部材１３０が回路基板の対応部に半田接続されることにより、回路基板に実装される。
【０１４０】
［コネクタ嵌合動作］
次に、雄コネクタ１と雌コネクタ２との嵌合動作について説明する。まず、既述した要領で雄コネクタ１と雌コネクタ２をそれぞれ対応する回路基板の実装面に実装する。そして、図２及び図３に見られるように、雄コネクタ１の前方位置で、雌コネクタ２の嵌合部を雄コネクタ１の嵌合部に対面させる。
【０１４１】
次に、図１ないし図３にて矢印で示されるように、雌コネクタ２を雄コネクタ１へ向けて後方へ移動させ、雌コネクタ２の嵌合部を雄コネクタ１の嵌合部に嵌合させる。具体的には、まず、雌コネクタ２の被ガイド部１１６Ａ，１１６Ｂへ雄コネクタ１のそれぞれ対応するガイド部１４Ａ，１４Ｂを後方から進入させることにより、雌コネクタ２を正規の嵌合位置へ向けて案内させる。
【０１４２】
また、コネクタ嵌合過程にて、雌コネクタ２のブロック部１１５Ａ，１１５Ｂの被規制面が雄コネクタ１のガイド部１４Ａ，１４Ｂの対応する規制面に当接し、雌コネクタ２の被ガイド部１１６Ａ，１１６Ｂの被規制面が雄コネクタ１のガイド部１４Ａ，１４Ｂの対応する規制面に当接し、雌コネクタ２の被規制部１１７Ａ，１１７Ｂの被規制面が雄コネクタ１の規制部１５Ａ，１５Ｂの対応する規制面に当接することにより、雌コネクタ２は、コネクタ幅方向での移動を規制されて、正規の嵌合位置に維持される。
【０１４３】
正規の嵌合位置でコネクタ嵌合が進行すると、雄コネクタ１の第一幅広ブレード２０Ａの腕部用ブレード２０Ａ−１の前端側部分は、雌コネクタ２の上段幅広ブレード受入空間１１４Ａへ後方から進入する。また、雄コネクタ１の幅広ブレード２０Ｂ，２０Ｃ及び中段隔壁１８Ｂのそれぞれの前端側部分は、雌コネクタ２の中段幅広ブレード受入空間１１４Ｂへ後方から進入する。また、第四幅広ブレード２０Ｄの腕部用ブレード２０Ｄ−１の前端側部分は、雌コネクタ２の下段幅広ブレード受入空間１１４Ｃに挿入される。
【０１４４】
また、雄コネクタ１の第一幅狭ブレード６０Ｅの腕部用ブレード６０Ｅ−１の前端側部分は、雌コネクタ２の上段幅狭ブレード受入空間１１４Ｄへ後方から進入する。また、雄コネクタ１の幅狭ブレード６０Ｆ，６０Ｇの腕部用ブレード６０Ｆ−１，６０Ｇ−１の前端側部分及び中段隔壁１８Ｂのそれぞれの前端側部分は、雌コネクタ２の中段幅狭ブレード受入空間１１４Ｅへ後方から進入する。また、第四幅狭ブレード６０Ｈの腕部用ブレード６０Ｈ−１の前端側部分は、雌コネクタ２の下段幅狭ブレード受入空間１１４Ｆに挿入される。
【０１４５】
この結果、腕部用ブレード２０Ａ−１〜２０Ｄ−１，６０Ａ−１，６０Ｄ−１の雄端子３０Ａ〜３０Ｄ，７０Ａ〜７０Ｄの雄接触部３１Ａ−１〜３１Ｄ−１，７１Ａ−１〜７１Ｄ−１が、それぞれ対応する雌端子１２０Ａ〜１２０Ｈの弾性腕部１２１Ａ〜１２１Ｈの雌接触部１２１Ａ−１〜１２１Ｈ−１に当接して該弾性腕部１２１Ａ〜１２１Ｈを弾性変形させるとともに、該雌接触部１２１Ａ−１〜１２１Ｈ−１と接圧をもって接触して電気的に導通し、コネクタ嵌合動作が完了する。
【０１４６】
本実施形態では、複数のブレードが保持されるコネクタについて説明したが、本発明は、一つのブレードを保持するコネクタにも適用可能である。
【符号の説明】
【０１４７】
１  雄コネクタ                          ３１Ａ−１〜３１Ｄ−１  雄接触部
２  雌コネクタ                          ３３Ａ〜３３Ｄ  脚部
１０  ハウジング                        ３３Ａ−１〜３３Ｄ−１  接続部
１０Ｆ  嵌合部                          ５０Ａ〜５０Ｄ  絶縁板
１０Ｇ  ブレード収容部（収容部）        ５３Ａ〜５３Ｄ  後方突部（突部）
１７Ａ−１〜１７Ｈ−１  案内部          ６０Ａ〜６０Ｄ  幅狭ブレード
１７Ａ−３〜１７Ｈ−３  案内溝          ６０Ａ−１〜６０Ｄ−１  腕部用ブレード
１７Ａ−５〜１７Ｄ−５  ストッパ部      ６０Ａ−２〜６０Ｄ−２  脚部用ブレード
１７Ｊ  前方ブレード規制部              ７０Ａ〜７０Ｄ  雄端子
１７Ｋ  後方ブレード規制部              ７１Ａ〜７１Ｄ  腕部  
２０Ａ〜２０Ｄ  幅広ブレード            ７１Ａ−１〜７１Ｄ−１  雄接触部
２０Ａ−１〜２０Ｄ−１  腕部用ブレード  ９０Ａ〜９０Ｄ  絶縁板
２０Ａ−２〜２０Ｄ−２  脚部用ブレード  ９３Ａ〜９３Ｄ  後方突部（突部）
３０Ａ〜３０Ｄ  雄端子（導電条部材）    １２０Ａ〜１２０Ｈ  雌端子
３１Ａ〜３１Ｄ  腕部
【図１】
2019220390.tif 000003
【図２】
2019220390.tif 000004
【図３】
2019220390.tif 000005
【図４】
2019220390.tif 000006
【図５】
2019220390.tif 000007
【図６】
2019220390.tif 000008
【図７】
2019220390.tif 000009
【図８】
2019220390.tif 000010